(57)【特許請求の範囲】
【請求項１】
レンズ装置とカメラとの間に配置されるとともに該カメラに加わった振動によって生じる像ぶれを補正する補正レンズと、該補正レンズのレンズ枠に係合し補正レンズの動作を規制するロック部材とを備えた防振アダプタにおいて、
前記防振アダプタには、前記レンズ装置のマウント部と連結されるマウント締付リングが回動自在に設けられ、該マウント締付リングの回動動作に連動させて前記ロック部材を前記補正レンズ枠との係合位置、又は非係合位置に移動させるロック機構が設けられていることを特徴とする防振アダプタ。
【請求項２】
前記ロック機構は、前記ロック部材に連結されて該ロック部材を前記係合位置と非係合位置との間で移動させるレバーを有し、該レバーは、前記マウント締付リングの回動動作に連動して駆動されることを特徴とする請求項１に記載の防振アダプタ。
【請求項３】
前記レバーは、前記防振アダプタの外部に突出した手動操作可能な位置に設けられていることを特徴とする請求項２に記載の防振アダプタ。
【発明の詳細な説明】
【０００１】
【発明の属する技術分野】
本発明は防振アダプタに係り、特にレンズ装置とカメラとの間に配置されるとともにカメラに加わった振動によって生じる像ぶれを補正する補正レンズを備えた防振アダプタに関する。
【０００２】
【従来の技術】
特開平１１−２８４９００号公報等には、カメラとレンズ装置との間に配置される防振アダプタが開示されている。この防振アダプタは、像ぶれを補正する補正レンズ、上下・左右方向の振動を検出する振動検出センサ、及びリニアモータを有する補正レンズ駆動部等が設けられ、振動検出センサで検出された振動情報に基づいて、補正レンズを補正レンズ駆動部によって像ぶれを補正する位置に移動させる。
【０００３】
また、本願出願人は、防振アダプタにロック部材を有するロック機構を設け、このロック機構でロック部材を操作して補正レンズの動作を規制（ロック）及び規制解除（ロック解除）する防振アダプタを提案している（特願２０００−３１１６６２号）。このようにロック部材によって補正レンズの動作をロックすることにより、防振アダプタの運搬時の振動によって補正レンズが損傷するのを防止できる。
【０００４】
【発明が解決しようとする課題】
しかしながら、前記従来の防振アダプタは、防振アダプタに対するレンズ装置の取付作業／取外作業とは別に、ロック機構による補正レンズのロック操作／ロック解除操作を行わなければならないという問題があった。
【０００５】
本発明はこのような事情に鑑みてなされたもので、防振アダプタに対するレンズ装置の取付作業／取外作業に連動させて、補正レンズのロック操作／ロック解除操作を行うことができる防振アダプタを提供することを目的とする。
【０００６】
【課題を解決するための手段】
本発明は、前記目的を達成するために、レンズ装置とカメラとの間に配置されるとともに該カメラに加わった振動によって生じる像ぶれを補正する補正レンズと、該補正レンズのレンズ枠に係合し補正レンズの動作を規制するロック部材とを備えた防振アダプタにおいて、前記防振アダプタには、前記レンズ装置のマウント部と連結されるマウント締付リングが回動自在に設けられ、該マウント締付リングの回動動作に連動させて前記ロック部材を前記補正レンズ枠との係合位置、又は非係合位置に移動させるロック機構が設けられていることを特徴としている。
【０００７】
請求項１に記載の発明によれば、防振アダプタのマウント締付リングにレンズ装置のマウント部を合わせ、マウント締付リングを締方向に回すと、この動作に連動してロック機構が動作し、ロック部材を補正レンズ枠との係合位置から非係合位置に移動させる。これによって、防振アダプタの補正レンズはロック解除され、使用可能状態になる。一方で、マウント締付リングを緩方向に回すと、この動作に連動してロック機構が動作し、ロック部材を補正レンズ枠との非係合位置から係合位置に移動させる。これによって、防振アダプタの補正レンズはロックされる。したがって、本発明の防振アダプタは、防振アダプタに対するレンズ装置の取付作業／取外作業に連動させて、補正レンズのロック操作／ロック解除操作を行うことができる。
【０００８】
請求項２に記載の発明によれば、マウント締付リングを締方向に回すと、ロック機構のレバーが駆動されて、ロック部材が係合位置から非係合位置に移動する。また、マウント締付リングを緩方向に回すと、ロック機構のレバーが駆動されて、ロック部材が非係合位置から係合位置に移動する。
【０００９】
請求項３に記載の発明によれば、前記レバーは、防振アダプタの外部に突出した手動操作可能な位置に設けられているので、手動操作することもできる。防振アダプタにレンズ装置を連結した使用形態である場合でも、補正レンズを動作させたくない場合には、レバーをロック方向に手動で操作する。
【００１０】
【発明の実施の形態】
以下添付図面に従って本発明に係る防振アダプタの好ましい実施の形態について詳説する。
【００１１】
図１は、レンズ支持装置１０によって、テレビカメラを構成するカメラ１２（二点鎖線で図示）とレンズ装置１４とが支持されている側面図が示されている。同図に示すカメラ１２は、肩乗せ可能なＥＮＧカメラであり、また、レンズ装置１４は、例えばズーム比が３６倍、重量が約４．５ｋｇの高倍率で重量物のレンズ装置が適用されている。カメラ１２及びレンズ装置１４は、レンズ支持装置１０上において前後、左右、及び上下に移動されて光軸合わせされるとともに、このレンズ支持装置１０を介して、不図示の三脚の雲台に取り付けられて使用される。
【００１２】
レンズ支持装置１０は、レンズサポータ１６及び実施の形態の防振アダプタ１８から構成さている。
【００１３】
レンズサポータ１６は、その下面に前記三脚との連結部が形成されるとともに、その上面には平らなカメラ支持部２０が形成されている。カメラ支持部２０には、図１上で二点鎖線で示す三脚アダプタ２２を介してカメラ１２が着脱自在に固定される。三脚アダプタ２２には矢印ＡＢ方向（前後方向）に移動可能なスライダ２３が設けられる。また、レンズサポータ１６の図１上左端の折曲部１７には、ねじ２４が上方に向けて取り付けられている。
【００１４】
このねじ２４は、図１の如く防振アダプタ１８を使用する場合には、防振アダプタ１８に形成されたナット部２６に締結され、レンズ装置１４が連結された防振アダプタ１８をレンズサポータ１６に支持させる支持部材として使用される。また、ねじ２４は、図２の如く防振アダプタ１８を使用することなく、レンズサポータ１６によってレンズ装置１４を直接支持する場合には、レンズ装置１４の外周部に予め設けられたナット部２８に締結され、レンズ装置１４をレンズサポータ１６に支持させる支持部材として使用される。
【００１５】
防振アダプタ１８は図３、図４に示すように、アダプタ本体３０とアダプタ支持部材３２とから構成される。アダプタ本体３０は偏平な箱型に形成されるとともに、その内部には、カメラ１２に加わった振動によって生じる像ぶれを補正する補正レンズ３４が図３の如く取り付けられている。
【００１６】
また、アダプタ本体３０の補正レンズ３４の前方側には、マウント締付リング３６が回動自在に設けられている。このマウント締付リング３６に形成された３箇所の溝３６Ａ、３６Ａ…にレンズ装置１４のマウント部１５（図１参照）の３枚の爪（不図示）を挿入し、マウント締付リング３６を操作用ツマミ３７を利用して、図３上で時計回り方向（締方向）に回動させてマウント部１５をマウント締付リング３６に締結することにより、レンズ装置１４がアダプタ本体３０に取り付けられる。なお、図３は、マウント締付リング３６を締方向に回動させている、その途中の状態が示されている。
【００１７】
アダプタ本体３０の補正レンズ３４の後方側には、図４の如くマウント部３８が設けられ、このマウント部３８を図１上二点鎖線で示すカメラ１２のマウント締付リング１３に挿入し、マウント締付リング１３を回動させてマウント部３８をマウント締付リング１３に締結することにより、カメラ１２がアダプタ本体３０に取り付けられる。なお、防振アダプタ１８を介することなく、カメラ１２にレンズ装置１４を直結する場合には、図２の如くカメラ１２のマウント締付リング１３にレンズ装置１４のマウント部１５を挿入し、マウント締付リング１３でマウント部１５を締結すればよい。
【００１８】
図３に示したように、防振アダプタ１８のアダプタ支持部材３２は、平板状に形成されるとともに、アダプタ本体３０の下部に連結されて前方に張り出すように設けられている。これにより、防振アダプタ１８は、図４の如く逆Ｌ字型に構成される。
【００１９】
アダプタ支持部材３２の上面には図３の如く、レンズサポータ１６側のねじ２４（図１参照）に締結されるナット部２６が形成され、このナット部２６の前方側には、レンズ装置１４のナット部２８に締結される、ねじ４０が設けられている。
【００２０】
アダプタ支持部材３２の下面には、制御ボックス４２が取り付けられている。この制御ボックス４２には、防振アダプタ１８の補正レンズ３４の動作を制御する制御回路等が内蔵されている。また、制御ボックス４２は、防振アダプタ１８とカメラ１２との間で情報の受け渡しを行うインターフェースとしても利用される。すなわち、制御ボックス４２には、レンズ装置１４側のコネクタ（不図示）と接続されるコネクタ４４が設けられるとともに、カメラ１２側のコネクタ（不図示）と接続されるコネクタ４６が設けられている。コネクタ４４、４６の一部のピン同士は、ケーブルによって直結されており、レンズ装置１４からの情報は制御ボックス４２をスルーしてカメラ１２側に伝達される。また、コネクタ４４、４６の残りのピンは、ケーブルを介して制御ボックス４２内の電子回路基板に接続されている。電子回路基板は、防振アダプタ１８の制御回路等が搭載されたコントロール基板であり、制御回路部は、レンズ装置１４やカメラ１２から必要な情報（例えば、レンズの焦点距離情報等）を取り込んで、補正レンズ３４の動作制御等に利用する。
【００２１】
図５は、レンズサポータ１６に防振アダプタ１８を連結する、ねじ２４の詳細構造図である。同図に示すように、ねじ２４はその両端部（上下端部）に雄ねじ４８、５０が刻設されている。
【００２２】
雄ねじ４８は、防振アダプタ１８側のナット部２６に締結されるねじであり、ねじ２４の本体部２５に形成された小径部２５Ａの端部に突設されている。この雄ねじ４８をナット部２６に螺合していき、小径部２５Ａの上面２５Ｂをナット部２６の下部基準面２６Ｂに当接させることにより、雄ねじ４８がナット部２６に完全に締結される。
【００２３】
雄ねじ５０は、レンズサポータ１６の折曲部１７に形成された貫通孔１７Ａに貫通配置されるとともに、折曲部１７を挟んで螺合されている一対のナット５２、５４を介して折曲部１７に固定されている。この固定状態において、ナット５２を緩めてナット５４を回すことにより、ねじの作用によってねじ２４がレンズサポータ１６に対して上下移動する。これにより、レンズサポータ１６に対して防振アダプタ１８が上下移動するので、レンズサポータ１６に対する防振アダプタ１８の高さ位置、すなわち、カメラ１２に対するアダプタ本体３０の高さ位置が調整される。
【００２４】
一方、レンズ装置１４のナット部２８に締結されるねじ４０は、図４の如くアダプタ本体３０の光軸方向に対する厚さ分の長さＢだけ、アダプタ支持部材３２のナット部２６に対して光軸方向前方にずれた位置に設けられている。また、ねじ４０は、図３の如くアダプタ支持部材３２に光軸方向に貫通形成された長孔３３に貫通配置され、長孔３３の長手方向長さ分だけ遊びが与えられている。更に、長孔３３の周囲には、受座５６が形成される。また、ねじ４０には、長孔３３を貫通した位置にツマミ５８が取り付けられている。
【００２５】
ツマミ５８を回してねじ４０をナット部２８に螺合していき、受座５６の基準面５６Ａにナット部２８の下面２８Ａを当接させることにより、レンズ装置１４が防振アダプタ１８のアダプタ支持部材３２に完全に支持される。
【００２６】
また、図６に示すように、アダプタ支持部材３２の表面３２Ａに対する受座５６の基準面５６Ａの高さＨと、ナット部２６の基準面２６Ｂの高さＨとが等しく形成されている。
【００２７】
次に、防振アダプタ１８のロック機構６０について図７〜図１１を参照して説明する。図７はロック機構６０がロック状態にある側面図、図８は図７の上面図、また、図９及び図１０はロック機構６０のロックピン（ロック部材）６２を示した説明図。更に、図１１は、ロック機構６０がロック解除状態にある斜視図である。
【００２８】
図７〜図１１に示すようにロック機構６０は、レバー６４、ギア６６、ギヤ６８、トグルばね７０、偏心ピン７２、及びロックピン６２等から構成される。
【００２９】
レバー６４は、図７の如くマウント締付リング３６と補正レンズ３４（図３参照）を保持したレンズ枠７４との間で図７の紙面に直交する方向に配設された軸６５に回動自在に支持されている。この軸６５は、アダプタ本体３０に支持されている。
【００３０】
また、レバー６４は、直角方向に分岐された２枚の操作片６４Ａ、６４Ｂを有している。操作片６４Ａは、図７の如くマウント締付リング３６のツマミ３７の回動通過位置に突出され、ツマミ３７の締方向の回動動作によってツマミ３７に図３の如く押される。これによって、レバー６４が図７の軸６５を中心に反時計回り方向に回動される。
【００３１】
ギア６６は、レバー６４と一体的に設けられるとともに軸６５に軸支されている。このギア６６にはギア６８が噛合される。ギア６８は、アダプタ本体３０に回動自在に支持された軸７６に一体的に取り付けられ、この軸７６の先端部に、連結板７７を介して偏心ピン７２が軸７６に対して偏心した位置に連結されている。また、軸７６の基端部にはコマ部材７８が固定され、このコマ部材７８の外周面には、トグルばね７０が押圧当接されるフラットな面７８Ａ、７８Ｂが形成されている。面７８Ａと面７８Ｂとは９０度の角度差をもって形成され、面７８Ａにトグルばね７０が押圧当接された図７の状態において、トグルばね７０と面７８Ａとでトグル機構が構成されることにより、レバー６４が図７の状態にセルフロックされている。なお、トグルばね７０は、支持板７１を介してアダプタ本体３０に固定されている。
【００３２】
また、図７の状態において、軸７６に連結されている図９、図１０の偏心ピン７２は、ロックピン６２の側面に形成された長孔６３に図示の如く係合されている。ロックピン６２は、図９に示すように補正レンズ３４の光軸３４Ａと平行に設けられた軸８０にスライド自在に取り付けられている。軸８０は、図８の如くレンズ枠７４の側方に配置された支持部材８２に、その左端部が支持されるとともに、その右端部がレンズ枠７４の突出部７５に形成された開口部８４に貫通配置されている。
【００３３】
更に、支持部材８２とロックピン６２との間には、コイルばね８６が配置され、コイルばね８６の付勢力によってロックピン６２が図１０上で右方向に付勢されている。ロックピン６２の先端部にはテーパ面６２Ａが形成され、このテーパ面６２Ａに着脱自在に係合されるテーパ面８０Ａが、レンズ枠７４側の開口部８４の周縁部に形成されている。図７〜図１０の状態において、ロックピン６２は、コイルばね８６の付勢力によって図１０上で右方向に付勢され、テーパ面６２Ａとテーパ面８０Ａとが係合されている。すなわち、ロックピン６２が係合位置に位置し、ロックピン６２によって補正レンズ３４の動作がロックされている。なお、この時のレンズ枠７４に対するロックピン６２の押圧力は、レンズ枠７４に無理な力が加わらない力に設定されている。
【００３４】
一方、図７に示したツマミ３７の締方向の回動動作によって操作片６４Ａがツマミ３７に図３の如く押され、レバー６４が図７の軸６５を中心に反時計回り方向に回動されると、ギア６６、６８を介してコマ部材７８が図７上時計回り方向にトグルばね７０の付勢力に抗して回動していく。コマ部材７８が同方向に４５度以上回動した時、コマ部材７８のエッジ部７８Ｃがトグルばね７０を乗り越えるので、トグルばね７０の付勢力が面７８Ｂ側に作用する。これにより、コマ部材７８がトグルばね７０の付勢力で瞬時に同方向に回動し、面７８Ｂにトグルばね７０が当接された図１１の状態にセルフロックされる。この動作によって、軸７６が図７上で時計回り方向に９０度回動するので、図１０に示す偏心ピン７２が時計回り方向に９０度回動する。これにより、ロックピン６２が偏心ピン７２に押されて図１０上左方向に移動し、ロックピン６２のテーパ面６２Ａがレンズ枠７４側のテーパ面８０Ａとの係合位置（図１０上実線で示す位置）から非係合位置（１０上二点鎖線で示す位置）に退避する。よって、ロックピン６２によるレンズ枠７４のロックが解除される。
【００３５】
また、レバー６４は、図３の如くアダプタ本体３０の外部に突出した手動操作可能な位置に設けられているので、手動による操作も可能である。
【００３６】
なお、図７の如く、ギア６６には遮光板８８がギア６６から外方へ突出して取り付けられている。この遮光板８８は、ギア６６が図７の状態から図１１の状態に回動した時に、アダプタ本体３０に設けられているフォトインタラプタ９０によって検出される。フォトインタラプタ９０からの検出信号は、防振アダプタ１８の制御回路部に出力され、この制御回路部は前記検出信号が出力されると、補正レンズ３４を駆動するモータに電力を供給する。
【００３７】
次に、前記の如く構成された防振アダプタ１８の作用について説明する。
【００３８】
防振アダプタ１８にレンズ装置１４を取り付ける場合には、まず、防振アダプタ１８のマウント締付リング３６にレンズ装置１４のマウント部１５を挿入し、マウント締付リング３６をツマミ３７によって締方向（図３上で時計回り方向、図７上で矢印方向）に所定角度回す。これにより、レンズ装置１４が防振アダプタ１８に取り付けられる。
【００３９】
そして、このレンズ装置１４の取付作業時において、締方向に回動されてきたツマミ３７に操作片６４Ａが押されるので、レバー６４は、軸６５を中心に図７上反時計回り方向に回動していく。そして、ギア６６、６８を介してコマ部材７８が図７上時計回り方向にトグルばね７０の付勢力に抗して回動していき、コマ部材７８のエッジ部７８Ｃがトグルばね７０を乗り越えると、コマ部材７８がトグルばね７０の付勢力で瞬時に同方向に回動し、面７８Ｂにトグルばね７０が当接される。
【００４０】
この動作によって、軸７６が図７上で時計回り方向に９０度回動するので、図１０に示す偏心ピン７２が時計回り方向に９０度回動し、ロックピン６２が偏心ピン７２に押されて図１０上左方向に移動する。これにより、ロックピン６２のテーパ面６２Ａがレンズ枠７４側のテーパ面８０Ａとの係合位置（図１０上実線で示す位置）から非係合位置（図１０上二点鎖線で示す位置）に退避するので、補正レンズ３４のロックが解除される。以上により、実施の形態の防振アダプタ１８は、防振アダプタ１８に対するレンズ装置１４の取付作業に連動させて、補正レンズのロック解除操作を行うことができる。
【００４１】
また、レバー６４は、防振アダプタ１８の外部に突出した手動操作可能な位置に設けられているので、防振アダプタ１８にレンズ装置１４を取り付けた後であっても、補正レンズ３４を動作させたくない場合には、レバー６４を図１１のロック解除位置から図７のロック位置に手動で操作することができる。
【００４２】
次に、防振アダプタ１８からレンズ装置１４を取り外す場合には、マウント締付リング３６をツマミ３７によって緩方向（図１１上で矢印方向）に所定角度回す。これにより、レンズ装置１４が防振アダプタ１８から取り外される。
【００４３】
このレンズ装置１４の取外作業時において、緩方向に回動されてきたツマミ３７に操作片６４Ｂが押されるので、レバー６４は、軸６５を中心に図１１上時計回り方向に回動していく。そして、ギア６６、６８を介してコマ部材７８が図１１上反時計回り方向にトグルばね７０の付勢力に抗して回動していき、コマ部材７８のエッジ部７８Ｃがトグルばね７０を乗り越えると、コマ部材７８がトグルばね７０の付勢力で瞬時に同方向に回動し、面７８Ａにトグルばね７０が当接される。
【００４４】
この動作によって、軸７６が図１１上で反時計回り方向に９０度回動するので、偏心ピン７２が図１０の位置に戻りながら、ロックピン６２がコイルばね８６の付勢力によって図１０上右方向に移動する。これにより、ロックピン６２のテーパ面６２Ａが、非係合位置（図１０上二点鎖線で示す位置）からテーパ面８０Ａとの係合位置（図１０上実線で示す位置）に移動するので、補正レンズ３４がロックされる。以上により、実施の形態の防振アダプタ１８は、防振アダプタ１８に対するレンズ装置１４の取外作業に連動させて、補正レンズのロック操作を行うことができる。
【００４５】
本発明は、マウント締付リング３６に予め取り付けられている操作用ツマミ３７に着目し、操作用ツマミ３７がトリガとなるような構造を採用するため、ロック機構６０にレバー６４を設け、このレバー６４を操作用ツマミ３７で操作させたので、簡単な構造の連動構造を提供できる。
【００４６】
なお、ロック機構６０は、先に説明した機構に限定されるものではなく、マウント締付リング３６の締緩方向の回動操作に連動させて、補正レンズのロック及びロック解除を行うことが可能な機構であれば適用することができる。
【００４７】
次に、防振アダプタ１８の防振機構の一例を説明すると、補正レンズ３４は図１２の如く、リニアモータ１００、１０２によって撮影光軸Ｐと直交する面内で像ぶれを補正する方向に移動される。補正レンズ３４は、４本のアーム１０４、１０４、１０６、１０６からなる平行リンク機構を介してアダプタ本体３０に移動自在に支持されている。
【００４８】
リニアモータ１００は、補正レンズ３４を図１２において左右方向に移動させるもので、モータ本体１００Ａ、及びロッド１００Ｂから構成される。モータ本体１００Ａは、アダプタ本体３０に固定され、ロッド１００Ｂの先端はレンズ枠７４の長穴１０８にローラ１１０を介して係合されている。長穴１０８は同図においてレンズ枠７４の左側部に上下方向に形成されており、長穴１０８とローラ１１０とは相対的に図１２の上下方向に移動自在に係合されている。
【００４９】
モータ本体１００Ａの駆動力によりロッド１００Ｂが伸縮動作すると、補正レンズ３４はロッド１００Ｂに押されて、又はロッド１００Ｂに引かれて図１２上で左右方向に移動する。また、レンズ枠７４に上下方向の力が加わると、ローラ１１０が長穴１０８にガイドされて補正レンズ３４が図１２において上下方向に移動する。
【００５０】
リニアモータ１００のロッド１００Ｂには、連結枠１１２が固着されている。この連結枠１１２は、上下方向に配設されており、中央部にロッド１００Ｂが固着され、上下端部がそれぞれリニアガイド１１４、１１４に摺動自在に支持されている。リニアガイド１１４、１１４は、ロッド１００Ｂと平行に設けられており、ロッド１００Ｂが伸縮されると、連結枠１１２はその姿勢を保持したまま左右方向に平行移動する。
【００５１】
連結枠１１２には、位置センサ１１６の検出用接触針１１６Ｂの先端が押圧当接されている。位置センサ１１６は、検出用接触針１１６Ｂがロッド１００Ｂと平行になる位置に、そのセンサ本体１１６Ａがアダプタ本体３０に固定されており、ロッド１００Ｂの伸縮動作で平行移動する連結枠１１２の移動量を検知する。
【００５２】
符号１１８Ａは、スピードジェネレータ１１８を構成するボビンであり、符号１１８Ｂは、スピードジェネレータ１１８を構成するコアである。このコア１１８Ｂが連結枠１１２に固着されている。
【００５３】
一方、リニアモータ１０２は、補正レンズ３４を上下方向に移動させるもので、モータ本体１０２Ａ及びロッド１０２Ｂから構成される。モータ本体１０２Ａは、アダプタ本体３０に固定され、ロッド１０２Ｂの先端はレンズ枠７４の長穴１２０にローラ１２２を介して係合されている。長穴１２０はレンズ枠７４の下部に左右方向に形成され、長穴１２０とローラ１２２とは相対的に左右方向に移動自在に係合されている。
【００５４】
モータ本体１０２Ａの駆動力によりロッド１０２Ｂが伸縮動作すると、補正レンズ３４はロッド１０２Ｂに押されて、又はロッド１０２Ｂに引かれて上下方向に移動する。また、レンズ枠７４に左右方向の力が加わると、ローラ１２２が長穴１２０にガイドされて補正レンズ３４が左右方向に移動する。
【００５５】
リニアモータ１０２のロッド１０２Ｂには、連結枠１２４が固着される。連結枠１２４は、左右方向に配設されており、中央部にロッド１０２Ｂが固着され、左右端部がそれぞれリニアガイド１２６、１２６に摺動自在に支持されている。リニアガイド１２６、１２６は、ロッド１０２Ｂと平行に設けられており、ロッド１０２Ｂが伸縮されると、連結枠１２４はその姿勢を保持したまま上下に平行移動する。
【００５６】
連結枠１２４には、位置センサ１２８の検出用接触針１２８Ｂの先端が押圧当接されている。位置センサ１２８は、検出用接触針１２８Ｂがロッド１０２Ｂと平行になる位置に、センサ本体１２８Ａがアダプタ本体３０に固定され、ロッド１０２Ｂの伸縮動作で平行移動する連結枠１２４の移動量を検知する。
【００５７】
この位置センサ１２８も位置センサ１１６と同様に、検出用接触針１２８Ｂをレンズ枠７４の周面に直接当接させるのではなく、補正レンズ３４の移動量を間接的に検知することができる連結枠１２４に当接させている。
【００５８】
符号１３０Ａは、スピードジェネレータ１３０を構成するボビンであり、符号１３０Ｂはスピードジェネレータ１３０を構成するコアである。このコア１３０Ｂが連結枠１２４に固着されている。
【００５９】
なお、防振アダプタ１８の内部構造は図１２に示した形態に限定するものではなく、補正レンズ３４をアクチュエータ等の駆動手段で適宜移動させる具体的な構造は、様々な形態が可能である。
【００６０】
図１３は、補正レンズ３４の駆動制御系を示すブロック図である。同図に示す角速度センサ１３２、１３４はアダプタ本体３０の内部に配設されている。一方の角速度センサ１３２は、カメラ１２に伝達された振動のうち左右方向成分の振動を検知するもので、この検知された情報は、図１の制御ボックス４２に内蔵された制御回路部を構成するＣＰＵ１３６に出力される。
【００６１】
ＣＰＵ１３６は、角速度センサ１３２から受入した情報に基づいて補正レンズ３４に与えるべき左右方向の補正移動量を演算する。この左右方向の補正移動量を示す信号は、アンプ１３８で増幅されたのち、リニアモータ１００（図１２参照）に出力される。リニアモータ１００は、ＣＰＵ１３６からの指令信号に応じた量だけロッド１００Ｂを伸長又は収縮させるように作動し、補正レンズ３４を像ぶれ補正位置に移動させる。これにより、左右方向の振動成分が補正レンズ３４の移動で相殺されて左右方向の像ぶれが抑制される。
【００６２】
補正レンズ３４の左右方向の移動時において、位置センサ１１６は、連結枠１１２の移動位置を検出している。位置センサ１１６で検出した位置信号と、ＣＰＵ１３６から出力されている補正移動量を示す信号とが比較され、リニアモータ１００は、補正移動量に対応する位置に補正レンズ３４を位置させるようにフィードバック制御されている。
【００６３】
同様に、他方の角速度センサ１３４は、カメラ１２に伝達された振動のうち上下方向成分の振動を検知するもので、検知された情報はＣＰＵ１３６に出力される。ＣＰＵ１３６は、角速度センサ１３４から受入した情報に基づいて補正レンズ３４に与えるべき上下方向の補正移動量を演算し、この上下方向の補正移動量を示す信号をアンプ１３８を介してリニアモータ１０２（図１２参照）に出力する。リニアモータ１０２は、ＣＰＵ１３６からの指令信号に応じた量だけロッド１０２Ｂを伸長又は収縮させるように作動し、補正レンズ３４を像ぶれ補正位置に移動させる。これにより、上下方向の振動成分が補正レンズ３４の移動で相殺されて上下方向の像ぶれが抑制される。
【００６４】
補正レンズ３４の上下方向の移動時において、位置センサ１２８は、連結枠１２４の移動位置を検出している。この検出した位置信号と、ＣＰＵ１３６から出力されている補正移動量を示す信号とが比較され、リニアモータ１０２は、補正移動量に対応する位置に補正レンズ３４を位置させるようにフィードバック制御されている。
【００６５】
【発明の効果】
以上説明したように本発明に係る防振アダプタによれば、防振アダプタのマウント締付リングの回動動作に連動して補正レンズをロック／ロック解除するロック機構を設けたので、防振アダプタに対するレンズ装置の取付作業／取外作業に連動させて、補正レンズのロック操作／ロック解除操作を行うことができる。
【００６６】
また、本発明によれば、防振アダプタの外部に突出した手動操作可能な位置に前記レバーを設けたので、レバーを手動操作することもできる。
【図面の簡単な説明】
【図１】防振アダプタを有するレンズ支持装置によってテレビカメラを支持している状態を示す側面図
【図２】レンズサポータでレンズ装置を直接支持している状態を示す側面図
【図３】実施の形態の防振アダプタを示す斜視図
【図４】図３に示した防振アダプタの側面図
【図５】レンズサポータと防振アダプタとの連結構造を示す要部拡大断面図
【図６】防振アダプタとレンズ装置との連結構造を示す要部拡大断面図
【図７】防振アダプタの補正レンズロック機構を示す側面図
【図８】図７に示したロック機構の上面図
【図９】ロック機構のロックピン駆動構造を示す説明図
【図１０】ロック機構のロックピン駆動構造を示す断面図
【図１１】ロック機構の構造を示す斜視図
【図１２】補正レンズの防振機構の一例を示す構造図
【図１３】補正レンズの防振機構の制御回路を示すブロック図
【符号の説明】
１０…レンズ支持装置、１２…カメラ、１４…レンズ装置、１６…レンズサポータ、１８…防振アダプタ、３０…アダプタ本体、３２…アダプタ支持部材、３４…補正レンズ、３６…マウント締付リング、６０…ロック機構、６２…ロックピン、６４…レバー、６６、６８…ギア、７０…トグルばね、７２…偏心ピン、７４…レンズ枠
【図１】
0003968641.tif 000002
【図２】
0003968641.tif 000003
【図３】
0003968641.tif 000004
【図４】
0003968641.tif 000005
【図５】
0003968641.tif 000006
【図６】
0003968641.tif 000007
【図７】
0003968641.tif 000008
【図８】
0003968641.tif 000009
【図９】
0003968641.tif 000010
【図１０】
0003968641.tif 000011
【図１１】
0003968641.tif 000012
【図１２】
0003968641.tif 000013
【図１３】
0003968641.tif 000014